(57)【要約】【課題】映像記録メディアに記憶された映像コンテンツの画質に応じて画像処理条件を変えて自動的に高画質化して再生する。【解決手段】映像再生手段１０が映像コンテンツを再生して、メディア識別手段３１が映像記録メディアＤの種類を識別する。メディア識別手段手段３１の識別結果に応じて処理条件設定手段４０がメディアの種類に応じて映像コンテンツの画質向上処理を行う画像処理条件の設定を行い、画像処理手段２０が設定された画像処理条件により映像コンテンツの画像処理を行う。【選択図】　図１
2004120606.tif 000002
【特許請求の範囲】
【請求項１】
映像記録メディアに記憶された映像コンテンツを再生する映像再生手段と、
該映像再生手段により再生される前記映像記録メディアの種類を識別するメディア識別手段と、
該メディア識別手段により識別された前記映像記録メディアの種類に応じて、前記映像コンテンツの画質向上処理を行うための画像処理条件を設定する条件設定手段と、
該条件設定手段により設定された前記画像処理条件を用いて前記映像コンテンツの画像処理を行う画像処理手段と
を有することを特徴とする映像再生装置。
【請求項２】
前記映像コンテンツが、複数の映像フレームからなるシーンを複数有しており、前記処理条件設定手段が、前記映像コンテンツの前記各シーン毎に抽出した基準映像フレームを用いて前記各シーン毎に前記画像処理条件を設定するものであることを特徴とする請求項１に記載の映像再生装置。
【請求項３】
前記映像コンテンツに著作権情報が含まれているか否かを判断する著作権判断手段を有し、前記条件設定手段が、該著作権判断手段により判断された著作権情報の有無に応じて前記画像処理条件を設定する機能を有するものであることを特徴とする請求項１または請求項２に記載の映像再生装置。
【発明の詳細な説明】
【０００１】
【発明の属する技術分野】
本発明は、たとえば光ディスク等に記録された映像コンテンツを再生する映像再生装置に関するものである。
【０００２】
【従来の技術】
近年、映画やアニメーション等の映像コンテンツがＤＶＤ等の映像記録メディアに記憶されてユーザに提供されている。また、家庭用に普及されているデジタルカメラにおいても、撮影した映像を録画する情報記録媒体としてＣＤ−ＲＷ、ＤＶＤ−Ｒ等の光ディスクが用いられており、家庭用のデジタルビデオカメラで撮影した映像コンテンツについても、大容量の光ディスクに録画することが可能になっている。
【０００３】
【発明が解決しようとする課題】
ところで、映画配給会社が映画やアニメーション等の映像コンテンツを映像記録メディアに記憶する場合、映像コンテンツは画質向上処理を施して記憶している。したがって、映像記録メディアを映像再生装置により再生するときには、映像コンテンツに対して画質向上処理を施さなくても、ユーザは高品質な映像を鑑賞することができる。
【０００４】
一方、家庭用デジタルビデオカメラで撮影した映像コンテンツの場合には、撮影時に画質向上処理が施された状態で光ディスクに記憶するようにしている。しかし、撮影時における画質向上処理だけでは十分ではなく、映像コンテンツは高画質ではない状態で光ディスクに記憶される。したがって、この映像記録メディアを映像再生装置により再生した場合、ユーザは高画質な映像を観賞することができないという問題がある。
【０００５】
また、家庭用デジタルビデオカメラにより撮影された映像コンテンツを高画質化するためには、ユーザがたとえばパーソナルコンピュータ等を用いて映像コンテンツに対して画質向上処理を行う必要があり、手間がかかってしまうという問題がある。
【０００６】
そこで、本発明は、適切な画質向上処理を施していない映像コンテンツを再生時に自動的に高画質化することができる映像再生装置を提供することを目的とするものである。
【０００７】
【課題を解決するための手段】
本発明の映像再生装置は、映像記録メディアに記憶された映像コンテンツを再生する映像再生手段と、該映像再生手段により再生される前記映像記録メディアの種類を識別するメディア識別手段と、該メディア識別手段により識別された前記映像記録メディアの種類に応じて、前記映像コンテンツの画質向上処理を行うための画像処理条件を設定する条件設定手段と、該条件設定手段により設定された前記画像処理条件を用いて前記映像コンテンツの画像処理を行う画像処理手段とを有することを特徴とするものである。
【０００８】
なお、「映像コンテンツ」が、複数の映像フレームからなるシーンを複数有しているとき、「処理条件設定手段」は、映像コンテンツの各シーン毎に基準映像フレームを抽出して、基準画像フレームを用いて各シーン毎に画像処理条件を設定するものであってもよい。
【０００９】
また、映像コンテンツに著作権情報が含まれているか否かを判断する著作権判断手段を有し、「条件設定手段」は、著作権判断手段により判断された著作権情報の有無に応じて画像処理条件を設定する機能を有するものであってもよい。
【００１０】
【発明の効果】
本発明の映像再生装置によれば、映像記録メディアの種類に応じて映像コンテンツの画質向上処理を行うための画像処理条件を設定することにより、業務用に用いられる映像記録メディアと一般ユーザ用に用いられる映像記録メディアとの違いにより映像コンテンツの再生時の画像処理条件を自動的に切り替えることができるため、一般ユーザにより作製された映像コンテンツに強い画質向上処理を施すことができるようになり、映像の高品質化を図ることができる。
【００１１】
また、映像記録メディアの種類に応じて映像コンテンツの画質向上処理を行うための画像処理条件を設定することにより、映像コンテンツの画像を解析して画質向上処理が行われているか否かを判断する場合に比べて短時間に効率よく判断することができる。
【００１２】
なお、映像コンテンツが複数の映像フレームからなるシーンを複数有するときに、処理条件設定手段が映像コンテンツの各シーン毎に抽出した基準映像フレームを用いて各シーン毎に画像処理条件を設定することにより、各シーンにあった画像処理条件を設定することができるため、より高画質な映像を提供することができる。
【００１３】
また、映像コンテンツに著作権情報が含まれているか否かを判断する著作権判断手段を有し、条件設定手段が著作権判断手段により判断された著作権情報の有無に応じて前記画像処理条件を設定することにより、映像コンテンツからも一般ユーザにより製作されたものであるか否かを判断することができるため、画質の向上処理を必要とする一般ユーザのコンテンツについて画質を向上する画像処理条件の設定を的確に行うことができる。
【００１４】
【発明の実施の形態】
図１は本発明の映像再生装置の好ましい実施の形態を示すブロック図であり、図１を参照して映像再生装置１について説明する。映像再生装置１は、たとえばＤＶＤ、ＤＶＤ−Ｒ、ＣＤ−ＲＯＭ等の映像記録メディアＤに記憶された映像コンテンツを再生するものであって、映像再生手段１０、画像処理手段２０、判断手段３０、処理条件設定手段４０等を有する。
【００１５】
映像再生手段１０は、映像記録メディアＤに記憶された映像コンテンツを再生する機能を有し、再生した映像コンテンツは画像処理手段２０に送られる。画像処理手段２０は、映像再生手段１０により再生された映像コンテンツに画質向上処理等の画像処理を施して液晶ディスプレイやＣＲＴ等の表示部に出力するものである。判断手段３０は、映像再生手段１０により再生された映像コンテンツがすでに最適な画質向上処理を施されているか否かを判断するものであって、判断結果を処理条件設定手段４０に送るようになっている。
【００１６】
処理条件設定手段４０は、判断手段３０における判断結果に応じてホワイトバランスや明るさ等の画質向上処理を行うための画像処理条件を設定するものである。そして、処理条件設定手段４０により設定された画像処理条件を用いて画像処理手段２０により画質向上処理が行われる（以下「セットアップ」という）。
【００１７】
また、処理条件設定手段４０は、映像コンテンツが複数のフレームからなるシーンを複数有している場合、各シーン毎に基準映像フレーム（キーフレーム）を抽出して基準映像フレームを用いて画像処理条件を設定する機能を有する。この基準映像フレームの抽出は各シーン内の映像フレームに予めフラグの付された映像フレームを抽出することにより行われる。このように、各シーン毎に基準映像フレームに基づいて画像処理条件を設定することにより、各シーンにあった画像処理条件を設定することができる。
【００１８】
ここで、判断手段３０は、著作権情報の有無と映像記録メディアの規格の違いにより、映像コンテンツに適切な画質向上処理が施されているか否かを判断するものであって、メディア識別手段３１と著作権判断手段３２とを有している。
【００１９】
メディア識別手段３１は、映像記録メディアＤの種類を識別することにより、映画配給会社等のベンダーにより提供されたものであるか、一般ユーザにより製作されたものであるか否かを判断するものである。そして、一般ユーザが製作した映像記録メディアＤであると判断した場合には、画質向上処理を行うための画像処理条件の設定を条件設定手段３０に要求するようになっている。
【００２０】
具体的には、映像記録メディアＤがＤＶＤ−Ｒメディアの場合、使用分類として著作権保護を施すための業務用のオーサリング用（Ｆｏｒ　Ａｕｔｈｏｒｉｎｇ）のＤＶＤ−Ｒメディアと、著作権保護を施さない一般用途のジェネラル用（Ｆｏｒ　Ｇｅｎｅｒａｌ）のＤＶＤ−Ｒメディアとがある。さらに、用途分類としてデータ用（Ｆｏｒ　Ｄａｔａ）のＤＶＤ−Ｒメディアとビデオ用（Ｆｏｒ　Ｖｉｄｅｏ）のＤＶＤ−Ｒメディアとがある。このうち、映画配給会社等が業務用に用いられるものはオーサリング用であり、一般ユーザが個人用に用いられるものはジェネラル用である。メディア識別手段３１は、このような使用分類によるＤＶＤ−Ｒメディアの規格の違いを利用して、映像コンテンツの再生時に画質向上処理を施すか否かを判断するようになっている。
【００２１】
たとえば、メディア識別手段３１が映像記録メディアＤがオーサリング用のＤＶＤ−Ｒメディアであると判断した場合には既に適切な画質向上処理が施されていると判断される。したがって、処理条件設定手段４０による画像処理条件の設定が行われずに、画像処理手段２０におけるセットアップが行われない。
【００２２】
メディア識別手段３１において映像記録メディアＤがジェネラル用のうちビデオ用のＤＶＤ−Ｒメディアであると判断された場合、記憶された映像コンテンツには著作権保護されたデータが記録されている可能性が高いため、既に適切な画質向上処理が施されていると判断される。したがって、処理条件設定手段４０による画像処理条件の設定が行われずに、画像処理手段２０におけるセットアップが行われない。
【００２３】
一方、メディア識別手段３１においてジェネラル用のうちデータ用のＤＶＤ−Ｒメディアであると判断された場合、ユーザにより作製された一般データが記録されている可能性が高いため、画質向上処理が施されていないと判断される。よって、処理条件設定手段４０による画像処理条件の設定が行われて、画像処理手段２０におけるセットアップが行われる。
【００２４】
同様に、映像記録メディアＤがフジカラーＣＤである場合には記録された画像はセットアップが施されているため、メディア識別手段３１がフジカラーＣＤであると判断した場合には画質向上処理が施されている画像であると判断してセットアップが行われない。
【００２５】
次に、著作権判断手段３２について説明する。著作権判断手段３２は、たとえば電子透かし技術により映像コンテンツに挿入された著作権保護情報や、光ディスクのＴＯＣ（Ｔａｂｌｅ　Ｏｆ　Ｃｏｎｔｅｎｔｓ）の領域に記憶されている著作権情報が含まれているか否かを判断する機能を有する。そして、著作権判断手段３２は、この電子透かし等の著作権情報があると判断したときには既に適切な画質向上処理が施されている映像コンテンツであると判断する。一方、著作権情報がないと判断した場合には適切な画質向上処理が施されていない映像コンテンツであると判断する。
【００２６】
すなわち、著作権情報が付された映像コンテンツの場合、映像配給会社等により提供された映像コンテンツである場合が多く、この映像コンテンツは光ディスクに格納する段階において既に画質向上処理が施されている。したがって、再生時に改めて画質向上処理を行う必要がなく、行ったとしてもディスプレイの種類にあわせるような軽い画質向上処理を施せばよい。
【００２７】
一方、著作権情報のない映像コンテンツの場合、一般ユーザがデジタルカメラ等を用いて作製した映像コンテンツを光ディスク等に格納したものであると考えられる。すると、映像コンテンツを光ディスクに格納する際にたとえばパーソナルコンピュータ等を用いて画像処理を行った後に行うことは稀である。したがって、著作権情報のない映像コンテンツは映像配給会社等から提供される映像コンテンツに比べて画質が悪い傾向がある。そこで、著作権情報のない映像コンテンツについては、再生時に映像配給会社から提供される場合よりも強い画質向上処理を行うことにより、高画質なものをユーザに提供することができる。
【００２８】
ここで、著作権判断手段３２は、メディア識別手段３１において映像記録メディアＤの種類だけでは再生時の画質向上処理を行うか否かの判断ができないときに機能するようになっている。たとえば、映像記録メディアＤがプレス加工により製作されたＤＶＤメディアの場合にはＤＶＤメディアの種類だけでは映画配給会社等から配布されたものであるか一般ユーザにより作製されたものであるかが判断できない。そこで、プレス加工により作製されたＤＶＤメディアの場合、著作権判断手段３２が映画等の映像コンテンツには著作権保護情報が施されているか否かを判断する。そして、著作権情報が含まれていると判断すると、映像コンテンツに既に画質向上処理が施されていると判断して、再生時の画質向上処理は不要であると判断する。一方、著作権保護情報がないと判断した場合には再生時の画質向上処理を行うと判断されてセットアップが行われる。
【００２９】
同様に、映像記録メディアＤがＣＤメディアの場合も、映像記録メディアＤの種類だけでは判断できないため、著作権判断手段３２において著作権情報があると判断された場合には画像処理手段２０においてセットアップが行われず、著作権情報がない場合にはセットアップが行われるようになる。
【００３０】
図２は本発明の映像再生装置の動作例を示すフローチャート図であり、図１と図２を参照して映像再生装置の動作例について説明する。まず、映像記録メディアに記憶された映像コンテンツが映像再生手段１０により再生される（ステップＳＴ１）。すると、判断手段３０において、送られた映像コンテンツに著作権情報が含まれているか否か、もしくは映像記録メディアＤの規格を識別することにより、再生時に画質向上処理を施す必要があるか否かが判断される（ステップＳＴ２）。
【００３１】
そして、判断手段３０において、映像コンテンツの再生時に画質向上処理を施す必要がないと判断された場合、処理条件設定手段４０において画像処理条件の設定は行われずに、映像記録メディアＤに記憶された映像コンテンツをそのまま再生する。このように、すでに画質向上処理を施した映像コンテンツには強い画質向上処理を行わないことにより、映像コンテンツの提供者の意図した画質を忠実に再現することができる。
【００３２】
一方、判断手段３０において、映像コンテンツの再生時に画質向上処理を施す必要があると判断された場合、処理条件設定手段４０において再生するシーンの基準映像フレームが抽出される（ステップＳＴ４）。その後、処理条件設定手段４０において基準映像フレームを基準にホワイトバランスや明るさ等の画像処理条件が設定されて画像処理手段２０に送られる（ステップＳＴ５）。すると、画像処理手段２０において、設定された画像処理条件により映像コンテンツが画像処理される（ステップＳＴ６）。各シーンを再生する毎に画像処理条件が設定されて、映像コンテンツの再生時に画質向上処理が施されることになる（ステップＳＴ４〜ステップＳＴ７）。
【００３３】
上記実施の形態によれば、映像記録メディアＤの種類に応じて映像コンテンツの画質向上処理を行うための画像処理条件を設定することにより、業務用に用いられる映像記録メディアＤと一般ユーザ用に用いられる映像記録メディアＤとの違いにより映像コンテンツの画像処理条件を切り替えることができるため、一般ユーザにより作製された映像コンテンツに強い画質向上処理を施すことができるようになり、映像の高品質化を図ることができる。
【００３４】
また、映像記録メディアの種類に応じて映像コンテンツの画質向上処理を行うための画像処理条件を設定することにより、映像コンテンツの画像を解析して画質向上処理が行われているか否かを判断する場合に比べて短時間に効率よく判断することができる。
【００３５】
また、映像コンテンツが複数の映像フレームからなる複数のシーンを有するときに、処理条件設定手段４０が映像コンテンツの各シーン毎に抽出した基準映像フレームを用いて各シーン毎に画像処理条件を設定することにより、各シーンに合った画像処理条件を設定することができるため、より高画質な映像を提供することができる。
【００３６】
本発明の実施の形態は上記実施の形態に限定されない。たとえば図１において、映像コンテンツが光ディスクに格納された場合について例示しているが、映像コンテンツがハードディスク装置等に記憶され、もしくはネットワークを用いてストリーム配信されるものについても上述した映像再生装置１を適用することができる。
【００３７】
また、上記実施の形態において、映画配給会社等により製作された映像コンテンツであると判断した場合には、画像処理条件の設定を行わずに再生した映像コンテンツをそのまま出力するようにしているが、著作権情報を含むときには第１画像処理条件を設定し、著作権情報を含まないときには第１画像処理条件による画質向上処理よりも効果の強い第２画像処理条件を設定してもよい。このように、画質向上処理が施された映像コンテンツであっても第１画像処理条件を設定することにより、液晶ディスプレイやＣＲＴ等の表示部に合った画質向上処理を行うことができるため、高画質の映像をユーザに提供することができる。
【００３８】
さらに、図１の映像再生装置１において、メディア識別手段３１と著作権判断手段３２とを有する場合について例示しているが、メディア識別手段３１と著作権判断手段３２とのいずれか一方のみを有するものであってもよい。著作権判断手段３２を有する映像再生装置１は、映像記録メディアに記憶された映像コンテンツを再生する映像再生手段と、映像再生手段により再生される映像記録メディアの種類を識別するメディア識別手段と、該メディア識別手段により識別された映像記録メディアの種類に応じて、映像コンテンツの画質向上処理を行うための画像処理条件を設定する条件設定手段と、該条件設定手段により設定された画像処理条件を用いて映像コンテンツの画像処理を行う画像処理手段とを有する映像再生装置により実現される。この場合、たとえば、上述したＤＶＤ−Ｒメディアの場合にいずれの規格であっても著作権判断手段３２において著作権情報があると判断した場合には、画質向上処理が施されていると判断してセットアップを行わないようになる。
【図面の簡単な説明】
【図１】本発明の映像再生装置の好ましい実施の形態を示すブロック図
【図２】本発明の映像再生装置の好ましい実施の形態を示すブロック図
【符号の説明】
１　　　　映像再生装置
１０　　　映像再生手段
２０　　　画像処理手段
３１　　　著作権判断手段
３２　　　メディア判断手段
４０　　　処理条件設定手段
Ｄ　　　　映像記録メディア
【図１】
2004120606.tif 000003
【図２】
2004120606.tif 000004